(57)【特許請求の範囲】
【請求項１】
入力される画像信号に対して信号処理を行う信号処理部と、前記信号処理部を制御する制御部とを備える画像記録再生装置において、
前記信号処理部は、
撮像により得られた画像信号、および外部から入力された画像信号それぞれについて、前記画像信号を出力するために用いる出力用の同期信号を生成し、前記制御部に出力する同期信号生成手段と、
撮像により得られた画像信号、および外部から入力された画像信号それぞれについて、前記画像信号に対応する画像上の所定の領域を所定の大きさに変換する画素変換手段と
を含み、
前記制御部は、
前記同期信号生成手段から出力された前記出力用の同期信号に生じるダウンエッジに基づいて、前記出力用の同期信号に同期して前記信号処理部を制御するために用いる通信同期信号を生成する生成手段と、
生成された前記通信同期信号に基づいて前記信号処理部を制御する制御手段と
を含む
画像記録再生装置。
【請求項２】
前記制御部は、
ユーザによる操作に対応するズーム情報を取得する取得手段と、
取得された前記ズーム情報に基づいて、前記所定の領域が前記所定の大きさに変換されるための倍率を算出する算出手段と
をさらに含み、
前記制御手段は、前記信号処理部における前記画素変換手段に、前記所定の領域を、前記倍率に応じた大きさに変換させる
請求項１に記載の画像記録再生装置。
【請求項３】
前記信号処理部は、
前記外部から入力された前記画像信号を所定のデータ形式に変換するデータ形式変換手段と、
前記データ形式変換手段により変換された前記画像信号を、前記信号処理部のクロックに乗せ換えるクロック乗せ換え手段と
をさらに含み、
前記画素変換手段は、前記信号処理部のクロックに乗せ換えられた前記画像信号に対応する画像上の所定の領域を所定の大きさに変換する
請求項１に記載の画像記録再生装置。
【請求項４】
前記外部から入力された前記画像信号の前記出力用の同期信号は、NTSC（National Television System Committee）フォーマットまたはPAL（Phase Alternation Line）フォーマットのいずれかの同期信号である
請求項１に記載の画像記録再生装置。
【請求項５】
入力される画像信号に対して信号処理を行う信号処理部と、前記信号処理部を制御する制御部とを備える画像記録再生装置の画像記録再生方法において、
前記信号処理部における、
撮像により得られた画像信号、および外部から入力された画像信号それぞれについて、前記画像信号を出力するために用いる出力用の同期信号を生成し、前記制御部に出力する同期信号生成ステップと、
撮像により得られた画像信号、および外部から入力された画像信号それぞれについて、前記画像信号に対応する画像上の所定の領域を所定の大きさに変換する画素変換ステップと、
前記制御部における、
前記同期信号生成ステップの処理により出力された前記出力用の同期信号に生じるダウンエッジに基づいて、前記出力用の同期信号に同期して前記信号処理部を制御するために用いる通信同期信号を生成する生成ステップと、
生成された前記通信同期信号に基づいて前記信号処理部を制御する制御ステップと
を含む画像記録再生方法。
【請求項６】
入力される画像信号に対して信号処理を行う信号処理部と、前記信号処理部を制御する制御部とを備える画像記録再生装置のコンピュータに、
前記信号処理部における、
撮像により得られた画像信号、および外部から入力された画像信号それぞれについて、前記画像信号を出力するために用いる出力用の同期信号を生成し、前記制御部に出力する同期信号生成ステップと、
撮像により得られた画像信号、および外部から入力された画像信号それぞれについて、前記画像信号に対応する画像上の所定の領域を所定の大きさに変換する画素変換ステップと、
前記制御部における、
前記同期信号生成ステップの処理により出力された前記出力用の同期信号に生じるダウンエッジに基づいて、前記出力用の同期信号に同期して前記信号処理部を制御するために用いる通信同期信号を生成する生成ステップと、
生成された前記通信同期信号に基づいて前記信号処理部を制御する制御ステップと
を含む処理を実行させる、コンピュータが読み取り可能なプログラムが記録されている記録媒体。
【請求項７】
入力される画像信号に対して信号処理を行う信号処理部と、前記信号処理部を制御する制御部とを備える画像記録再生装置のコンピュータに、
前記信号処理部における、
撮像により得られた画像信号、および外部から入力された画像信号それぞれについて、前記画像信号を出力するために用いる出力用の同期信号を生成し、前記制御部に出力する同期信号生成ステップと、
撮像により得られた画像信号、および外部から入力された画像信号それぞれについて、前記画像信号に対応する画像上の所定の領域を所定の大きさに変換する画素変換ステップと、
前記制御部における、
前記同期信号生成ステップの処理により出力された前記出力用の同期信号に生じるダウンエッジに基づいて、前記出力用の同期信号に同期して前記信号処理部を制御するために用いる通信同期信号を生成する生成ステップと、
生成された前記通信同期信号に基づいて前記信号処理部を制御する制御ステップと
を含む処理を実行させるプログラム。
【発明の詳細な説明】
【０００１】
【発明の属する技術分野】
本発明は、画像記録再生装置および方法、記録媒体、並びにプログラムに関し、特に、例えば、回路規模を大きくすることなく、高性能に入力画像の電子ズームを行うことができるようにした画像記録再生装置および方法、記録媒体、並びにプログラムに関する。
【０００２】
【従来の技術】
従来のイメージャを用いたビデオカメラにおいては、光学式のズームに加え、電子ズーム、すなわち、イメージャからの出力信号をデジタル化した後にデジタル信号処理によりズームを行う機能を搭載したものが存在する。
【０００３】
通常、このような、いわゆるカメラ信号処理を行うIC（Integrated Circuit）では、イメージャからの出力データを受け取り、所定のカメラ信号処理、および、必要に応じて画素変換部において電子ズーム処理を施し、後段のICへとデータを出力する。このため、画素変換部は、カメラ信号を扱うための処理部となり、外部入力データに対しても、このカメラ信号処理IC内の画素変換部を兼用する構成にはなっていない。
【０００４】
そこで、テープ再生など、信号を再生ズームする機能を有するビデオカメラも存在するが、これら再生ズームにおいて行われる画素変換は、上述したカメラ信号処理ICの電子ズーム用の画素変換部とは兼用されておらず、他のIC、もしくは、他の処理部にて行われている。
【０００５】
カメラ信号処理ICにおける電子ズーム用の画素変換部は、イメージャからの出力信号に対する電子ズームを実現するための処理部であり、電子ズームの性能を向上するために様々なフィルタが用いられている。
【０００６】
しかしながら、従来のカメラにおいて、イメージャからの出力信号以外のソース信号（例えば、VTR（Video Tape Recorder）信号、DV（Digital Video）入力信号、もしくはライン入力信号など）に対する再生ズーム処理は、イメージャ出力信号に対する電子ズームを実現する画素変換部とは異なる処理部で行われている。
【０００７】
これは、カメラ信号処理ICが、イメージャ出力信号の電子ズーム処理をターゲットとしており、カメラ信号処理ICの電子ズーム用の画素変換部も含め、結果として、上述したように、イメージャからの出力信号以外のソース信号に対する再生ズーム処理は、イメージャ出力信号に対する電子ズームを実現する画素変換部とは異なる処理部で行われるような構成になっている。
【０００８】
【発明が解決しようとする課題】
すなわち、イメージャ出力信号や外部入力信号といったクロックレートおよびデータ形式の異なる信号に対して、複数の電子ズーム処理部を設けたり、もしくは、電子ズーム処理部を完全には兼用できない構成の場合、回路規模が増大する課題があった。
【０００９】
また、イメージャ出力信号の電子ズーム処理とソース信号の電子ズーム処理との間に、電子ズーム動作の性能差が生じることによって、電子ズーム動作の制御が煩雑になる課題があった。
【００１０】
このように、従来のビデオカメラでは、イメージャ出力信号を扱うカメラ信号処理部とカメラ信号ICの電子ズーム用の画素変換部において、外部ICが扱う外部入力信号との兼用が行われていなかった。また、カメラ信号ICの電子ズーム用の画素変換部の前段に、外部入力の異なるクロックまたはフォーマットを吸収すべくクロック乗せ換え処理部、および外部ICインターフェースが設けられていなかった。
【００１１】
本発明はこのような状況に鑑みてなされたものであり、回路規模を大きくすることなく、高性能に電子ズームを行うことができるようにするものである。
【００１２】
【課題を解決するための手段】
本発明の画像記録再生装置は、入力される画像信号に対して信号処理を行う信号処理部と、信号処理部を制御する制御部とを備える画像記録再生装置であって、信号処理部は、撮像により得られた画像信号、および外部から入力された画像信号それぞれについて、画像信号を出力するために用いる出力用の同期信号を生成し、制御部に出力する同期信号生成手段と、撮像により得られた画像信号、および外部から入力された画像信号それぞれについて、画像信号に対応する画像上の所定の領域を所定の大きさに変換する画素変換手段とを含み、制御部は、同期信号生成手段から出力された出力用の同期信号に生じるダウンエッジに基づいて、出力用の同期信号に同期して信号処理部を制御するために用いる通信同期信号を生成する生成手段と、生成された通信同期信号に基づいて信号処理部を制御する制御手段とを含む画像記録再生装置である。
【００１３】
制御部は、ユーザによる操作に対応するズーム情報を取得する取得手段と、取得されたズーム情報に基づいて、所定の領域が所定の大きさに変換されるための倍率を算出する算出手段とをさらに設けることができ、制御手段には、信号処理部における画素変換手段に、所定の領域を、倍率に応じた大きさに変換させるようにすることができる。
【００１４】
信号処理部は、外部から入力された画像信号を所定のデータ形式に変換するデータ形式変換手段と、データ形式変換手段により変換された画像信号を、信号処理部のクロックに乗せ換えるクロック乗せ換え手段とをさらに設けることができ、画素変換手段には、信号処理部のクロックに乗せ換えられた画像信号に対応する画像上の所定の領域を所定の大きさに変換させるようにすることができる。
【００１５】
外部から入力された画像信号の出力用の同期信号は、NTSC（National Television System Committee）フォーマットまたはPAL（Phase Alternation Line）フォーマットのいずれかの同期信号とするようにすることができる。
【００１６】
本発明の画像記録再生方法は、入力される画像信号に対して信号処理を行う信号処理部と、信号処理部を制御する制御部とを備える画像記録再生装置の画像記録再生方法であって、信号処理部における、撮像により得られた画像信号、および外部から入力された画像信号それぞれについて、画像信号を出力するために用いる出力用の同期信号を生成し、制御部に出力する同期信号生成ステップと、撮像により得られた画像信号、および外部から入力された画像信号それぞれについて、画像信号に対応する画像上の所定の領域を所定の大きさに変換する画素変換ステップと、制御部における、同期信号生成ステップの処理により出力された出力用の同期信号に生じるダウンエッジに基づいて、出力用の同期信号に同期して信号処理部を制御するために用いる通信同期信号を生成する生成ステップと、生成された通信同期信号に基づいて信号処理部を制御する制御ステップとを含む画像記録再生方法である。
【００１７】
本発明の記録媒体に記録されているプログラムは、入力される画像信号に対して信号処理を行う信号処理部と、信号処理部を制御する制御部とを備える画像記録再生装置のコンピュータに、信号処理部における、撮像により得られた画像信号、および外部から入力された画像信号それぞれについて、画像信号を出力するために用いる出力用の同期信号を生成し、制御部に出力する同期信号生成ステップと、撮像により得られた画像信号、および外部から入力された画像信号それぞれについて、画像信号に対応する画像上の所定の領域を所定の大きさに変換する画素変換ステップと、制御部における、同期信号生成ステップの処理により出力された出力用の同期信号に生じるダウンエッジに基づいて、出力用の同期信号に同期して信号処理部を制御するために用いる通信同期信号を生成する生成ステップと、生成された通信同期信号に基づいて信号処理部を制御する制御ステップとを含む処理を実行させるプログラムである。
【００１８】
本発明のプログラムは、入力される画像信号に対して信号処理を行う信号処理部と、信号処理部を制御する制御部とを備える画像記録再生装置のコンピュータに、信号処理部における、撮像により得られた画像信号、および外部から入力された画像信号それぞれについて、画像信号を出力するために用いる出力用の同期信号を生成し、制御部に出力する同期信号生成ステップと、撮像により得られた画像信号、および外部から入力された画像信号それぞれについて、画像信号に対応する画像上の所定の領域を所定の大きさに変換する画素変換ステップと、制御部における、同期信号生成ステップの処理により出力された出力用の同期信号に生じるダウンエッジに基づいて、出力用の同期信号に同期して信号処理部を制御するために用いる通信同期信号を生成する生成ステップと、生成された通信同期信号に基づいて信号処理部を制御する制御ステップとを含む処理を実行させるプログラムである。
【００１９】
本発明の画像記録再生装置および方法、並びにプログラムにおいては、信号処理部において、撮像により得られた画像信号、および外部から入力された画像信号それぞれについて、画像信号を出力するために用いる出力用の同期信号が生成されて制御部に出力され、撮像により得られた画像信号、および外部から入力された画像信号それぞれについて、画像信号に対応する画像上の所定の領域が所定の大きさに変換される。また、制御部において、信号処理部から出力された出力用の同期信号に生じるダウンエッジに基づいて、出力用の同期信号に同期して信号処理部を制御するために用いる通信同期信号が生成され、生成された通信同期信号に基づいて信号処理部が制御される。
【００２０】
【発明の実施の形態】
以下、図を参照して、本発明の実施の形態について説明する。
【００２１】
図１は、本発明を適用したビデオカメラの内部の構成例を示すブロック図である。
【００２２】
イメージャ１は、例えば、CCD（Charge-Coupled DevICe）などの撮像素子で構成され、撮像された画像データの読み出しを行う。フロントエンド部２は、例えば、CDS（Correlated Double Sampling）、AGC（AutomatIC Gain Control）、およびAD（Analog to Digital）コンバータなどで構成され、イメージャ１で読み出された画像データに対して、ノイズ除去、自動利得制御、およびA/D変換などの所定の信号処理を施した後、デジタル信号を、カメラ信号処理IC３に供給する。
【００２３】
カメラ信号処理IC３は、カメラ信号処理部１１、画素変換処理部１３、大容量RAM（Random Access Memory）１４、外部ICインターフェース１６、クロックレートコンバータ１７、マイコンインターフェース１９、および同期信号生成部２０で構成される。
【００２４】
カメラ信号処理部１１は、フロントエンド部２より入力されるデジタル信号（カメラ入力データ）に対して、所定のカメラ信号処理を施し、輝度（Ｙ）信号および色差（Ｃｒ／Ｃｂ）信号を生成し、カメラデータバス１２を介して、画素変換処理部１３に供給する。
【００２５】
外部ICインターフェース１６は、外部信号データバス１５を介して外部より入力される外部信号をクロックレートコンバータ１７に供給するためのインターフェース処理を行う。
【００２６】
すなわち、外部より入力される信号としては、例えば、VTR信号、ライン入力信号、もしくはDV入力信号などである。これらの信号のクロックは、１３．５MHz、データのバス幅は、輝度信号が８ビット、クロマ信号が４ビットのデータフォーマットである。これに対し、カメラ信号処理IC３のクロックは、５４MHz、データのバス幅は、輝度信号が８ビット、クロマ信号が８ビットである。そのため、外部ICインターフェース１６は、外部入力信号のデータのビット幅およびデータの並びを変換した後、クロックレートコンバータ１７に出力する。
【００２７】
クロックレートコンバータ１７は、外部ICインターフェース１６より入力されるクロックレートが１３．５MHzの外部入力信号を、カメラ信号処理IC３のクロックレートである５４MHzへとデータバスのクロックレート変換処理（クロック乗せ換え処理）を行い、クロックレートが変換された外部信号を、外部信号データバス１８を介して画素変換処理部１３に供給する。
【００２８】
画素変換処理部１３は、カメラ制御マイコン４の制御に基づいて、カメラデータバス１２を介してカメラ信号処理部１１より入力される輝度（Ｙ）信号および色差（Ｃｒ／Ｃｂ）信号、もしくは、外部信号データバス１８を介してクロックレートコンバータ１７より入力される外部信号に対して、縮小、等倍、もしくは拡大変換することによって、NTSC（National Television System Committee）フォーマットもしくはPAL（Phase Alternation Line）フォーマットといった親和性の高いフォーマットに変換し、カメラ信号処理IC３の出力信号として後段のICへ出力する。
【００２９】
このように、画素変換処理部１３は、カメラ制御マイコン４の制御に基づいて、カメラ信号処理系のデータ、もしくは、外部IC系のデータのいずれかを受け取り、受け取ったデータに対して画素変換処理を行うか否かの選択を行うことができる。これにより、画素変換処理部１３は、カメラ信号と外部信号の区別を意識することなく、データ処理することができる。
【００３０】
なお、画素変換処理部１３は、画像データを縮小変換する場合には、画像データの縮小変換後に大容量RAM１４にバッファリングし、次の読み出しの際にデータの画素変換を行わずに、外部ICインターフェース１６に供給する。画素変換処理部１３はまた、画像データを拡大変換する場合には、画素変換を行わずに、一旦、画像データを大容量RAM１４にバッファリングし、次の読み出しの際にデータの拡大変換を行い、外部ICインターフェース１６に供給する。画素変換処理部１３はさらに、画素変換を行わない場合においても、一旦、画像データを大容量RAM１４にバッファリングする。
【００３１】
外部ICインターフェース１６は、画素変換処理部１３より入力されるNTSCフォーマットもしくはPALフォーマットのデジタル信号を、外部ICに出力するためのインターフェース処理を行う。
【００３２】
同期信号生成部２０は、内部的なタイミング信号、および、外部ICに対する出力データの同期信号を生成し、出力同期信号を外部ICに出力するとともに、カメラ入力データ用出力同期信号もしくは外部信号データ用出力同期信号をカメラ制御マイコン４に出力する。すなわち、データのフィールド信号（FLD信号）、垂直同期信号（VD信号）、および水平同期信号（HD信号）が生成され、カメラ制御マイコン４に出力される。
【００３３】
以下、同期信号生成部２０からカメラ制御マイコン４に出力される外部信号データ用出力同期信号のVD信号を外部VD信号と称し、FLD信号を外部FLD信号と称するものとして説明する。
【００３４】
カメラ制御マイコン４は、ヒューマンインターフェースマイコン５より供給される、例えば、ズーム量、トリミング移動量、もしくはズーム機能のオン／オフなどの制御信号などに基づいて、カメラ信号処理IC３の各部を制御する。カメラ制御マイコン４は、同期信号生成部２０より供給される外部信号データ用出力同期信号（すなわち、外部VD信号および外部FLD信号）に基づいて、外部信号データに対して同期のとれたカメラ信号処理IC３の制御を行うことができる。
【００３５】
ここで、カメラ信号処理IC３の制御を連続して行うために、カメラ制御マイコン４が外部VD信号および外部FLD信号に同期して制御を行う必要がある。すなわち、カメラ信号処理IC３は、カメラ制御マイコン４からの通信同期信号のダウンエッジを検出し、その検出したタイミングでカメラ制御マイコン４によって設定された設定値を反映するようになされている。そのため、カメラ制御マイコン４は、外部VD信号のダウンエッジを用いて、カメラ信号処理IC３の設定値を反映させるためのタイミングを決定する通信同期信号（以下、SOFT_VD信号と記載する）を生成する。カメラ制御マイコン４は、入力信号のダウンエッジを検出して割込み処理を実行するようになされており、SOFT_VD信号の生成には、この割込み処理が用いられる。
【００３６】
カメラ制御マイコン４はまた、同期信号生成部２０より供給されるカメラ入力データ用出力同期信号に基づいて、カメラ入力データに対して同期のとれたカメラ信号処理IC３の制御を行うことができる。
【００３７】
マイコンインターフェース１９は、カメラ制御マイコン４から供給されるマイコン通信データに基づいて、カメラ信号処理IC３とのインターフェースを管理する。マイコンインターフェース１９は、カメラ制御マイコン４から供給されるSOFT_VD信号のダウンエッジに基づいて、カメラ制御マイコン４により設定された設定値の反映を行う。
【００３８】
ヒューマンインターフェースマイコン５は、ユーザの操作入力を受けて、ユーザとカメラ信号処理IC３とのインターフェースを管理する。
【００３９】
カメラ制御マイコン４には、必要に応じてドライブ６が接続され、磁気ディスク３１、光ディスク３２、光磁気ディスク３３、または半導体メモリ３４が適宜装着され、そこに記録されているデータまたはプログラムが読み出され、カメラ制御マイコン４に供給される。
【００４０】
図２は、図１に示したカメラ制御マイコン４およびヒューマンインターフェース５、並びに、その周辺の機器の詳細な構成例を示すブロック図である。
【００４１】
ヒューマンインターフェースマイコン５は、CAM/VTRモード切替スイッチ４１がユーザによって操作されることにより、その状態を検知し、CAM/VTRモード情報（現在のモードが、カメラモードであるか、もしくは、VTRモードであるかを示す情報）をカメラ制御マイコン４に供給する。
【００４２】
ヒューマンインターフェースマイコン５は、再生ズームモード切替スイッチ４２がユーザによって操作されることにより、その状態を検知し、再生ズームモード情報（再生ズームがオンであるか、もしくは、再生ズームがオフであるかを示す情報）をカメラ制御マイコン４に供給する。
【００４３】
ヒューマンインターフェースマイコン５は、ズームキー４３がユーザによって操作されることにより、その状態を検知し、ズーム情報（テレ側に押下されているか、もしくはワイド側に押下されているかを示す情報、並びにズーム量を示す情報など）をカメラ制御マイコン４に通知する。
【００４４】
ヒューマンインターフェースマイコン５は、回転ダイヤル４４がユーザによって操作されることにより、その状態を検知し、移動量情報（回転方向を示す情報）をカメラ制御マイコン４に供給する。
【００４５】
カメラ制御マイコン４は、ヒューマンインターフェースマイコン５から供給される情報に基づいて、図１２を用いて後述するように、倍率情報をフィールド毎に算出し、その算出結果をヒューマンインターフェースマイコン５に供給する。
【００４６】
ヒューマンインターフェースマイコン５は、カメラ制御マイコン４から供給される倍率情報に基づいて、現在の倍率を表示部４５に出力し、表示させる。
【００４７】
次に、図３のフローチャートを参照して、カメラ信号処理IC３が実行する外部入力信号の再生ズーム処理について説明する。
【００４８】
ステップＳ１において、カメラ信号処理IC３の外部ICインターフェース１６は、外部信号データバス１５を介して外部ICよりＶＴＲ信号が入力されたか否かを判定し、外部ICよりＶＴＲ信号が入力されるまで判定処理を繰り返す。
【００４９】
ステップＳ１において、外部ICよりＶＴＲ信号が入力されたと判定された場合、ステップＳ２に進み、外部ICインターフェース１６は、入力されたＶＴＲ信号の、輝度信号が８ビット、クロマ信号が４ビットのデータのバス幅（すなわち、CCIR（Comite Consultatif International Radiophonique）Rec601に準拠した信号フォーマット）を、輝度信号が８ビット、クロマ信号が８ビットのバス幅に変換するとともに、カメラ信号処理IC３内の仕様とするデータ形式へと並び替えを行う。
【００５０】
ステップＳ３において、クロックレートコンバータ１７は、ステップＳ２の処理でデータのビット幅およびデータの並び替えが行われたＶＴＲ信号のデータバスを、１３．５MHzから５４MHzのクロックレートにクロック乗せ換え処理を行う。
【００５１】
ステップＳ４において、画素変換処理部１３は、カメラ制御マイコン４の制御に基づいて、ステップＳ３の処理でクロックの乗せ換え処理が行われたVTR信号の所望のエリアを切り出し、大容量RAM１４にバッファリングする。
【００５２】
ステップＳ５において、画素変換処理部１３は、ステップＳ４の処理で大容量RAM１４にバッファリングされたＶＴＲ信号を次のフィールドで読み出す。例えば、奇数フィールドで大容量RAM１４にバッファリングされたデータは、次の偶数フィールドで読み出される。
【００５３】
ステップＳ６において、画素変換処理部１３は、ステップＳ５の処理で大容量RAM１４から読み出されたデータに対して、必要に応じて、所定の画面サイズ（例えば、720画素×480ラインの画面サイズ）に準拠するデータフォーマットに変換する。このように、読み出されたデータは、画素変換処理部１３においてNTSCフォーマットもしくはPALフォーマットに準拠した画面サイズへの拡大画素変換が行われる。
【００５４】
ステップＳ７において、外部ICインターフェース１６は、所定のデータフォーマットに変換されたデータを、後段の外部IC（例えば、ビデオ信号処理IC）に出力する。また、同期信号生成部２０は、外部ICインターフェース１６からデータが出力されるタイミングにおいて、出力信号の同期信号（FLD信号、VD信号、およびHD信号）を生成し、後段のICに出力する。
【００５５】
このように、外部入力ICからのＶＴＲ信号（すなわち、外部入力信号）に対して、容易に再生ズーム処理を行うことができる。
【００５６】
また、上述したＶＴＲ信号に限らず、ライン入力信号やＤＶ入力信号に対しても同様に再生ズーム処理を行うことができる。
【００５７】
次に、図２に示したヒューマンインターフェースマイコン５の基本的な動作について説明する。
【００５８】
ヒューマンインターフェースマイコン５は、CAM/VTRモード切替スイッチ４１の状態を検知し、現在のモードがカメラモードの場合には、フラグVTR_ONを０に設定し、ＶＴＲモードの場合には、フラグVTR_ONを１に設定する。ヒューマンインターフェースマイコン５はまた、再生ズームキー４２の状態を検知し、現在のモードが再生モードの場合には、フラグPBZOOM_ONを１に設定し、非再生モードの場合には、フラグPBZOOM_ONを０に設定する。
【００５９】
ヒューマンインターフェースマイコン５は、ズームキー４３の状態を検知し、フラグTkeyONおよびフラグWkeyONを適切な値に設定する。例えば、望遠（テレ）側に押下されている場合には、フラグTkeyONが１に、フラグWkeyONが０に設定され、広域（ワイド）側に押下されている場合には、フラグTkeyONが０に、フラグWkeyONが１に設定され、望遠側および広域側のいずれにも押下されていない場合には、フラグTkeyONおよびフラグWkeyONがいずれも０に設定される。
【００６０】
また、ズームキー４３は、数段階の押下量が検知されるようになされており、ヒューマンインターフェースマイコン５は、ズームキー４３の押下量に対応する値をRAM（Zspeed）に設定する。例えば、ズームキー４３が最も軽く押下された場合には、変数Zspeedが１に設定され、少し強く押下された場合には、変数Zspeedが２に設定される。
【００６１】
なお、変数Zspeedに対応する増源量分ΔPBZPが予めROMテーブルに登録されている。
【００６２】
ヒューマンインターフェースマイコン５はさらに、回転ダイヤル４４の状態を検知し、回転方向に基づいて、フラグUP、フラグDOWM、フラグRIGHT、もしくはフラグLEFTを１に設定し、回転方向に該当しない場合には、各フラグに０を設定する。
【００６３】
そして、ヒューマンインターフェースマイコン５は、設定されたCAM/VTRモード情報、再生ズームモード情報、ズーム情報、および移動量情報をカメラ制御マイコン４に供給する。
【００６４】
カメラ制御マイコン４は、フィールド毎にヒューマンインターフェースマイコン５で設定されるフラグに基づいて、図１２を用いて後述する再生ズーム制御処理を行い、画素変換処理部１３を制御するとともに、現在の倍率情報をヒューマンインターフェースマイコン５にフィールド毎に供給する。ヒューマンインターフェースマイコン５は、カメラ制御マイコン４より供給される倍率情報に基づいて、現在の倍率を表示部４５に出力し、表示させる。
【００６５】
次に、図４および図５のフローチャートを参照して、入力信号に同期してカメラ信号処理IC３の制御を行うためのカメラ制御マイコン処理について説明する。
この処理では、カメラ制御マイコン４の内蔵タイマと入力信号のダウンエッジを検出して割込み処理を発生させる機能を用いたSOFT_VD信号生成アルゴリズムについて説明する。
【００６６】
カメラ制御マイコン４の内蔵タイマは、次にタイマ割込みを発生させるタイミングを設定することができる。このタイマ割込み発生機能を用いて、後述するステップＳ２２，Ｓ２７，Ｓ３０，Ｓ３９の処理で設定される所定の時間後のタイミングで外部VD信号のダウンエッジに対する割込み許可もしくは割込み禁止の設定変更が行われる。なお、タイマの設定時間は、NTSCフォーマットおよびPALフォーマットのVD信号のダウンエッジがVD信号割込み許可範囲で発生するように、  VD信号割込み禁止範囲＜NTSC信号周期＜PAL信号周期＜VD信号割込み許可範囲という大小関係が成立するように時間の設定が行われる。
【００６７】
ここで、NTSC信号周期は、図６（Ａ）に示すように、16.666ｍｓとされ、PAL信号周期は、図６（Ｂ）に示すように、20.000ｍｓとされる。また、時刻ｔ１において、NTSCフォーマットおよびPALフォーマットのVD信号のダウンエッジが発生され、時刻ｔ４において、NTSCフォーマットのVD信号のダウンエッジが発生され、時刻ｔ６において、PALフォーマットのVD信号のダウンエッジが発生されるものとして以下に説明する。
【００６８】
カメラ制御マイコン４の動作が開始されると、NTSCフォーマットのVD入力信号の状態は、図７（Ａ）もしくは図８（Ａ）に示すように、時刻ｔ１に遷移されるとともに、PALフォーマットのVD入力信号の状態は、図９（Ａ）もしくは図１０（Ａ）に示すように、時刻ｔ１に遷移され、入力信号がない場合には、図１１（Ａ）に示すように、時刻ｔ１の状態に遷移される。
【００６９】
ステップＳ２１において、カメラ制御マイコン４は、SOFT_VD信号のダウンエッジを生成するために、カメラ制御マイコン出力ポートをSOFT_VD＝０（Low）に設定する。ステップＳ２２において、カメラ制御マイコン４は、図６（Ｃ）に示すように、SOFT_VD信号ダウンエッジ生成およびVD信号割込み禁止範囲の時間設定をするために、１回目のカメラ制御マイコン内蔵タイマを設定する。これにより、時刻ｔ２でタイマ割込みが発生するように内蔵タイマが設定される。
【００７０】
ステップＳ２３において、カメラ制御マイコン４は、図６（Ｃ）に示すように、時刻ｔ１からカメラ制御マイコン処理を開始すると、ステップＳ２４において、VD信号入力ポートの割込み禁止を設定する。ステップＳ２５において、カメラ制御マイコン４は、１回目のタイマ割込みが発生したか否か、すなわち、時刻ｔ２に到達したか否かを判定し、１回目のタイマ割込みが発生するまで判定処理を繰り返す。
【００７１】
例えば、NTSCフォーマットのVD入力信号の場合、図７（Ａ）の例においては、時刻ｔ２、時刻ｔ５、時刻ｔ８、もしくは時刻ｔ１１に到達したか否かが判定され、図８（Ａ）の例においては、時刻ｔ２、時刻ｔ６、時刻ｔ９、もしくは時刻ｔ１２に到達したか否かが判定される。PALフォーマットのVD入力信号の場合、図９（Ａ）の例においては、時刻ｔ２、時刻ｔ６、もしくは時刻１０に到達したか否かが判定され、図１０（Ａ）の例においては、時刻ｔ２、時刻ｔ５、もしくは時刻ｔ９に到達したか否かが判定される。さらに、入力信号がない場合、図１１（Ａ）の例においては、時刻ｔ２もしくは時刻ｔ６に到達したか否かが判定される。
【００７２】
ステップＳ２５において、１回目のタイマ割込みが発生したと判定された場合、ステップＳ２６に進み、カメラ制御マイコン４は、カメラ制御マイコン出力ポートをSOFT_VD＝１（High）に設定する。
【００７３】
すなわち、図７（Ｂ）の例の場合、時刻ｔ２、時刻ｔ５、時刻ｔ８、もしくは時刻ｔ１１に到達したとき、SOFT_VD信号が生成される。図８（Ｂ）の例の場合、時刻ｔ２、時刻ｔ６、時刻ｔ９、もしくは時刻ｔ１２に到達したとき、SOFT_VD信号が生成される。図９（Ａ）の例の場合、時刻ｔ２、時刻ｔ６、もしくは時刻ｔ１０に到達したとき、SOFT_VD信号が生成される。図１０（Ａ）の例の場合、時刻ｔ２、時刻ｔ５、もしくは時刻ｔ９に到達したとき、SOFT_VD信号が生成される。図１１（Ａ）の例の場合、時刻ｔ２もしくは時刻ｔ６に到達したとき、SOFT_VD信号が生成される。
【００７４】
ステップＳ２７において、カメラ制御マイコン４は、図６（Ｃ）に示すように、VD信号割込み禁止範囲の時間設定をするために、２回目のカメラ制御マイコン内蔵タイマを設定する。これにより、時刻ｔ３でタイマ割込みが発生するように内蔵タイマが設定される。
【００７５】
ステップＳ２８において、カメラ制御マイコン４は、VD信号入力ポートの割込み禁止を設定する。ステップＳ２９において、カメラ制御マイコン４は、２回目のタイマ割込みが発生したか否か、すなわち、時刻ｔ３に到達したか否かを判定し、２回目のタイマ割込みが発生するまで判定処理を繰り返す。
【００７６】
例えば、NTSCフォーマットのVD入力信号の場合、図７（Ａ）の例においては、時刻ｔ３、時刻ｔ６、もしくは時刻ｔ９に到達したか否かが判定され、図８（Ａ）の例においては、時刻ｔ３、時刻ｔ７、もしくは時刻ｔ１０に到達したか否かが判定される。PALフォーマットのVD入力信号の場合、図９（Ａ）の例においては、時刻ｔ３もしくは時刻ｔ７に到達したか否かが判定され、図１０（Ａ）の例においては、時刻ｔ３もしくは時刻ｔ６に到達したか否かが判定される。さらに、入力信号がない場合、図１１（Ａ）の例においては、時刻ｔ３に到達したか否かが判定される。
【００７７】
ステップＳ２９において、２回目のタイマ割込みが発生したと判定された場合、ステップＳ３０に進み、カメラ制御マイコン４は、図６（Ｃ）に示すように、NTSCフォーマットのVD信号割込み許可範囲の時間設定をするために、３回目のカメラ制御マイコン内蔵タイマを設定する。これにより、時刻ｔ５でタイマ割込みが発生するように内蔵タイマが設定される。
【００７８】
ステップＳ３１において、カメラ制御マイコン４は、VD信号入力ポートの割込み許可を設定する。ステップＳ３２において、カメラ制御マイコン４は、NTSCフォーマットのVD信号のダウンエッジによる割込みが発生したか否か、すなわち、図６（Ａ）に示すように、時刻ｔ４においてNTSCフォーマットのVD信号のダウンエッジが発生したか否かを判定し、NTSCフォーマットのVD信号のダウンエッジによる割込みが発生したと判定した場合、ステップＳ３３に進み、カメラ制御マイコン４は、NTSC信号同期確定と判断する。
【００７９】
例えば、NTSCフォーマットのVD入力信号の場合、図７（Ａ）の例においては、時刻ｔ４、時刻ｔ７、もしくは時刻ｔ１０に到達したか否かが判定され、図８（Ａ）の例においては、時刻ｔ８もしくは時刻ｔ１１に到達したか否かが判定される。PALフォーマットのVD入力信号の場合、図１０（Ａ）の例においては、時刻ｔ４に到達したか否かが判定される。
【００８０】
ステップＳ３４において、カメラ制御マイコン４は、NTSC信号同期状態フラグをNTSC_LOCK＝１に設定し、ステップＳ３５において、PAL信号同期状態フラグをPAL_LOCK＝０に設定し、ステップＳ３６において、自走状態フラグをFREE_RUN＝０に設定する。
【００８１】
ステップＳ３７において、カメラ制御マイコン４は、ステップＳ３０の処理で設定された３回目のカメラ制御マイコン内蔵タイマを無効に変更した後、ステップＳ２１に戻り、上述した処理を繰り返す。
【００８２】
ステップＳ３２において、NTSCフォーマットのVD信号のダウンエッジによる割込みが発生していないと判定された場合、ステップＳ３８に進み、カメラ制御マイコン４は、３回目のタイマ割込みが発生したか否か、すなわち、時刻ｔ５に到達したか否かを判定し、３回目のタイマ割込みが発生するまで判定処理を繰り返す。
【００８３】
例えば、NTSCフォーマットのVD入力信号の場合、図８（Ａ）の例においては、時刻ｔ４に到達したか否かが判定される。PALフォーマットのVD入力信号の場合、図９（Ａ）の例においては、時刻ｔ４もしくは時刻ｔ８に到達したか否かが判定され、図１０（Ａ）の例においては、時刻ｔ７に到達したか否かが判定される。さらに、入力信号がない場合、図１１（Ａ）の例においては、時刻ｔ４に到達したか否かが判定される。
【００８４】
ステップＳ３８において、３回目のタイマ割込みが発生したと判定された場合、ステップＳ３９に進み、カメラ制御マイコン４は、図６（Ｃ）に示すように、PALフォーマットのVD信号割込み許可範囲の時間設定をするために、４回目のカメラ制御マイコン内蔵タイマを設定する。これにより、時刻ｔ７でタイマ割込みが発生するように内蔵タイマが設定される。
【００８５】
ステップＳ４０において、カメラ制御マイコン４は、VD信号入力ポートの割込み許可を設定する。ステップＳ４１において、カメラ制御マイコン４は、PALフォーマットのVD信号のダウンエッジによる割込みが発生したか否か、すなわち、図６（Ｂ）に示すように、時刻ｔ６においてPALフォーマットのVD信号のダウンエッジが発生したか否かを判定し、PALフォーマットのVD信号のダウンエッジによる割込みが発生したと判定した場合、ステップＳ４２に進み、カメラ制御マイコン４は、PAL信号同期確定と判断する。
【００８６】
例えば、NTSCフォーマットのVD入力信号の場合、図８（Ａ）の例においては、時刻ｔ５に到達したか否かが判定される。PALフォーマットのVD入力信号の場合、図９（Ａ）の例においては、時刻ｔ５もしくは時刻ｔ９に到達したか否かが判定され、図１０（Ａ）の例においては、時刻ｔ８に到達したか否かが判定される。
【００８７】
ステップＳ４３において、カメラ制御マイコン４は、NTSC信号同期状態フラグをNTSC_LOCK＝０に設定し、ステップＳ４４において、PAL信号同期状態フラグをPAL_LOCK＝１に設定し、ステップＳ４５において、自走状態フラグをFREE_RUN＝０に設定する。
【００８８】
ステップＳ４６において、カメラ制御マイコン４は、ステップＳ３９の処理で設定された４回目のカメラ制御マイコン内蔵タイマを無効に変更した後、ステップＳ２１に戻り、上述した処理を繰り返す。
【００８９】
ステップＳ４１において、PALフォーマットのVD信号のダウンエッジによる割込みが発生していないと判定された場合、ステップＳ４７に進み、カメラ制御マイコン４は、４回目のタイマ割込みが発生したか否か、すなわち、時刻ｔ７に到達したか否かを判定し、４回目のタイマ割込みが発生するまで判定処理を繰り返す。
【００９０】
例えば、入力信号がない場合、図１１（Ａ）の例においては、時刻ｔ５に到達したか否かが判定される。
【００９１】
ステップＳ４７において、４回目のタイマ割込みが発生したと判定された場合、ステップＳ４８に進み、カメラ制御マイコン４は、自走状態確定（すなわち、入力信号なし）と判断する。
【００９２】
ステップＳ４９において、カメラ制御マイコン４は、NTSC信号同期状態フラグをNTSC_LOCK＝０に設定し、ステップＳ５０において、PAL信号同期状態フラグをPAL_LOCK＝０に設定し、ステップＳ５１において、自走状態フラグをFREE_RUN＝１に設定し、ステップＳ２１に戻り、上述した処理を繰り返す。
【００９３】
このように、カメラ制御マイコン４は、外部VD信号および外部FLD信号を利用して、入力信号がどのような放送方式（すなわち、NTSCフォーマットもしくはPALフォーマット）で記録されたものであるかをフィールド毎に検出した上で、SOFT_VD信号の生成を行うので、NTSCフォーマットもしくはPALフォーマットのいずれのフォーマットの入力信号にも対応することが可能になる。
【００９４】
例えば、カムコーダなどのように、再生系がNTSCフォーマットおよびPALフォーマットの両フォーマットに対応している場合には、本発明を適用することにより、カメラ制御マイコン４が、いずれのフォーマットの入力信号に応じて同期がとれるため、いずれのフォーマットの入力信号に対しても連続した制御を行うことが可能になる。
【００９５】
さらに、以上においては、入力信号の検出をフィールド毎に行っているため、入力信号のダイレクトな変化にも対応することが可能である。例えば、NTSCフォーマットの入力信号とPALフォーマットの入力信号のつなぎ撮りテープなどにも対応することができる。
【００９６】
次に、図１２のフローチャートを参照して、カメラ制御マイコン４が実行する再生ズーム制御処理について説明する。
【００９７】
ステップＳ７１において、カメラ制御マイコン４は、ヒューマンインターフェースマイコン５より供給されるCAM/VTRモード情報から現在のモードがVTRモードであるか否か、すなわち、VTRフラグがVTR_ON＝１であるか否かを判定し、現在のモードがVTRモードではないと判定した場合、処理は終了される。
【００９８】
ステップＳ７１において、現在のモードがVTRモードであると判定された場合、ステップＳ７２に進み、カメラ制御マイコン４は、カメラ信号処理IC３が、現在、外部入力信号と同期がとれているか否か、すなわち、自走状態フラグがFREE_RUN＝１であるか否かを判定し、現在、カメラ信号処理IC３が外部入力信号と同期がとれていないと判定した場合、処理は終了される。
【００９９】
例えば、入力信号が無い場合や、入力信号自身が同期を伴っていないような場合には、カメラ信号処理IC３は、信号に同期することができない。このような場合には、自走状態フラグがFREE_RUN＝１に設定されて自走状態が確定しているため、それ以降の処理は行われず、処理は終了される。
【０１００】
ステップＳ７２において、カメラ信号処理IC３が、現在、外部入力信号と同期がとれていると判定された場合、ステップＳ７３に進み、カメラ制御マイコン４は、ヒューマンインターフェースマイコン５より供給される再生ズームモード情報から現在のモードが再生ズームモードであるか否か、すなわち、再生ズームフラグがPBZOOM_ON＝１であるか否かを判定し、現在のモードが再生ズームモードではないと判定した場合（再生ズームフラグがPBZOOM_ON＝０であると判定した場合）、ステップＳ７４に進む。
【０１０１】
ステップＳ７４において、カメラ制御マイコン４は、関連するRAMをクリアした後、ステップＳ７５において、初期処理用フラグをPBZOOM_INIT＝１に設定し、処理は終了される。
【０１０２】
ステップＳ７３において、現在のモードが再生ズームモードであると判定された場合、ステップＳ７６に進み、カメラ制御マイコン４は、再生ズームモード切替時であるか否か、すなわち、初期処理用フラグがPBZOOM_INIT＝０であるか否かを判定し、再生ズームモード切替時であると判定した場合（初期処理用フラグがPBZOOM_INIT＝１であると判定した場合）、ステップＳ７７に進む。
【０１０３】
ステップＳ７７において、カメラ制御マイコン４は、変数PBZOOM_POSITIONに初期値を設定し、ステップＳ７８において、初期処理用フラグをクリアした後（すなわち、初期処理用フラグをPBZOOM_INIT＝０に設定した後）、処理は、ステップＳ７９に進む。
【０１０４】
ここで、変数PBZOOM_POSITIONは、倍率に直接関係する変数であり、PBZOOM_POSITION＝０の場合に、最も広域（ワイド）側となり、変数PBZOOM_POSITIONの値が増加するに従って、望遠（テレ）側となるような関係がある。従って、ここで設定される初期値に基づいて、再生ズームモード切替時の最初の倍率を任意に決定することができ、初期値を適宜選択することにより、ユーザは、再生ズームモードに切り替わったことを視認することができる。
【０１０５】
ステップＳ７６において、再生ズームモード切替時ではないと判定された場合、ステップＳ７９に進み、カメラ制御マイコン４は、再生ズームポジションの制御を行う。例えば、ユーザの操作に基づく、ズームキー４３の押下方向（テレ側に押下されているか、もしくはワイド側に押下されているか）により、変数PBZOOM_POSITIONの値を増減したり、さらに、ズームキー４３の押下量（強く押下しているか、もしくは軽く押下しているか）により、増減量ΔPBZPの値を制御する。
【０１０６】
ここで、図１３のフローチャートを参照して、図１２のステップＳ７９の再生ズームポジション制御処理について詳しく説明する。
【０１０７】
ステップＳ１０１において、カメラ制御マイコン４は、ヒューマンインターフェースマイコン５より、現在のズームキー４３の状態（すなわち、ズーム情報）を取得する。これにより、ズームキー４３がテレ側に押下されているか否かを表わすフラグTkeyON、ズームキー４３がワイド側に押下されているか否かを表わすフラグWkeyON、およびズームキー４３の押下量に対応する変数Zspeedが取得される。
【０１０８】
ステップＳ１０２において、カメラ制御マイコン４は、ステップＳ１０１の処理で取得されたズーム情報から、ズームキー４３がテレ側に押下されているか否か、すなわち、フラグTkeyON＝１、およびフラグWkeyON＝０に設定されているか否かを判定する。
【０１０９】
ステップＳ１０２において、ズームキー４３がテレ側に押下されていると判定された場合、ステップＳ１０３に進み、カメラ制御マイコン４は、ステップＳ１０１の処理で取得されたズーム情報である変数Zspeedから、変数PBZOOM_POSITIONの増加量分ΔPBZP_TELEをROMテーブルより取得する。
【０１１０】
ステップＳ１０４において、カメラ制御マイコン４は、ステップＳ１０３の処理で取得された増加量分ΔPBZP_TELEを、１フィールド前に設定された変数PBZOOM_POSITIONに加算する。すなわち、後述するようにΔPBZP_TELEをいくつに設定するかにより、テレ側に押下された時の倍率の変化（いわゆる、テレ側の方向に向う際のズーミングのスピード）が決定される。
【０１１１】
ステップＳ１０５において、カメラ制御マイコン４は、最高倍率となる場合の変数PBZOOM_POSITIONの値を予め算出しておき、これを変数PBZOOM_POSITIONの最大値PBZP_MAXとする。そして、カメラ制御マイコン４は、ステップＳ１０４の処理で得られた変数PBZOOM_POSITIONが最大値PBZP_MAXを超えているか否かを判定する。
【０１１２】
ステップＳ１０５において、変数PBZOOM_POSITIONが最大値PBZP_MAXを超えていると判定した場合、ステップＳ１０６に進み、カメラ制御マイコン４は、最大値PBZP_MAXを変数PBZOOM_POSITIONに設定した後、処理は、図１２のステップＳ８０にリターンする。
【０１１３】
すなわち、変数PBZOOM_POSITIONが最大値PBZP_MAXを超えている場合には、変数PBZOOM_POSITIONが最大値PBZP_MAXに押え込まれる。例えば、ユーザが、ズームキー４３をテレ側に押下し続けた場合にも、ステップＳ１０５およびＳ１０６の処理によって、変数PBZOOM_POSITIONが予め設定しておいた最大値PBZP_MAXの値より大きくなることはない。この処理により、ユーザによってズームキー４３がテレ側に必要以上に押下されたとしても、予め設定しておいた最高倍率以上になる事を避けることができる。
【０１１４】
ステップＳ１０５において、変数PBZOOM_POSITIONが最大値PBZP_MAXを超えていないと判定された場合、それ以降の処理は行われず、処理は、図１２のステップＳ８０にリターンする。
【０１１５】
ステップＳ１０２において、ズームキー４３がテレ側に押下されていないと判定された場合、ステップＳ１０７に進み、カメラ制御マイコン４は、ステップＳ１０１の処理で取得されたズーム情報から、ズームキー４３がワイド側に押下されているか否か、すなわち、フラグTkeyON＝０、およびフラグWkeyON＝１に設定されているか否かを判定する。
【０１１６】
ステップＳ１０７において、ズームキー４３がワイド側に押下されていると判定された場合、ステップＳ１０８に進み、カメラ制御マイコン４は、ステップＳ１０１の処理で取得されたズーム情報である変数Zspeedから、変数PBZOOM_POSITIONの減少量分ΔPBZP_WIDEをROMテーブルより取得する。
【０１１７】
ステップＳ１０９において、カメラ制御マイコン４は、ステップＳ１０８の処理で取得された減少量分ΔPBZP_WIDEを、１フィールド前に設定された変数PBZOOM_POSITIONから減算する。すなわち、後述するように、ΔPBZP_WIDEをいくつに設定するかにより、ワイド側に押下された時の倍率の変化（いわゆる、ワイド側の方向に向う際のズーミングのスピード）が決定される。
【０１１８】
ステップＳ１１０において、カメラ制御マイコン４は、最低倍率となる場合の変数PBZOOM_POSITIONの値を予め算出しておき、これを変数PBZOOM_POSITIONの最小値PBZP_MINとする。そして、カメラ制御マイコン４は、ステップＳ１０９の処理で得られた変数PBZOOM_POSITIONが最小値PBZP_MINを下回っているか否かを判定する。
【０１１９】
ステップＳ１１０において、変数PBZOOM_POSITIONが最小値PBZP_MINを下回っていると判定した場合、ステップＳ１１１に進み、カメラ制御マイコン４は、最小値PBZP_MINを変数PBZOOM_POSITIONに設定した後、処理は、図１２のステップＳ８０にリターンする。
【０１２０】
すなわち、変数PBZOOM_POSITIONが最小値PBZP_MINを下回っている場合には、変数PBZOOM_POSITIONが最小値PBZP_MINに押え込まれる。例えば、ユーザが、ズームキー４３をワイド側に押下し続けた場合にも、ステップＳ１１０およびＳ１１１の処理によって、変数PBZOOM_POSITIONが予め設定しておいた最小値PBZP_MINの値より小さくなることはない。この処理により、ユーザによってズームキー４３がワイド側に必要以上に押下されたとしても、予め設定しておいた最低倍率以下になる事を避けることができる。
【０１２１】
ステップＳ１１０において、変数PBZOOM_POSITIONが最小値PBZP_MINを下回っていないと判定された場合、それ以降の処理は行われず、処理は、図１２のステップＳ８０にリターンする。
【０１２２】
ステップＳ１０７において、ズームキー４３がワイド側に押下されていないと判定された場合、すなわち、ズームキー４３が、テレ側およびワイド側のいずれにも押下されていないと判定された場合（フラグTkeyON＝０、およびフラグWkeyON＝０に設定されていると判定された場合）、それ以降の処理は行われず、処理は、図１２のステップＳ８０にリターンする。
【０１２３】
図１２に戻り、ステップＳ８０において、カメラ制御マイコン４は、ステップＳ７９の処理で算出された変数PBZOOM_POSITIONを用いて、再生ズーム制御を行うための垂直方向の倍率パラメータVMAG、および水平方向の倍率パラメータHMAGを算出する。
【０１２４】
ここで算出される倍率パラメータVMAGおよびHMAGは、画素変換処理部１３の信号処理に反映される。画素変換処理部１３は、図１５を用いて後述する処理によって算出される他のパラメータとともに、倍率パラメータVMAGおよびHMAGを用いて、垂直方向および水平方向に対し、それぞれ拡大処理もしくは縮小処理を行う。この拡大処理もしくは縮小処理における倍率パラメータVMAGおよびHMAGと倍率の関係は、次式（１）および次式（２）で表わされる。なお、変数αは、任意の値とされる。
垂直方向倍率＝α／VMAG（α＞０）                            ・・・（１）
水平方向倍率＝α／HMAG（α＞０）                            ・・・（２）
【０１２５】
上記式（１）において、例えば、VMAG＞αの場合には、垂直方向の画素が縮小処理され、VMAG＜αの場合には、垂直方向の画素が拡大処理される。また、VMAG＝αの場合には、垂直方向の画素の縮小処理および拡大処理は行われない（等倍処理される）。
【０１２６】
ここで、変数PBZOOM_POSITIONを用いて倍率を制御するために、変数PBZOOM_POSITIONと倍率パラメータHMAGの関係が、次式（３）で表わすように定義される。
HMAG＝HMAG_DEFAULT−PBZOOM_POSITION                        ・・・（３）
【０１２７】
さらに、倍率パラメータHMAGの変化に対して、アスペクト比（縦横比）を一定に保つように倍率パラメータVMAGを算出する場合、倍率パラメータVMAGとHMAGの関係は、次式（４）で表わされる。
VMAG＝（VMAG_DEFAULT／HMAG_DEFAULT）×HMAG                  ・・・（４）
【０１２８】
ここで、変数VMAG_DEFAULTおよび変数HMAG_DEFAULTは、それぞれ基準となる（すなわち、再生ズーム倍率が１倍時の）倍率パラメータであり、この値により、再生ズーム倍率１倍時の入力信号変換倍率（基準倍率）が決定される。従って、基準倍率は、次式（５）で表わされるように、垂直方向および水平方向のいずれも等倍となるように設定される。
VMAG_DEFAULT＝HMAG_DEFAULT＝α                              ・・・（５）
【０１２９】
上記式（３）乃至上記式（５）より、垂直方向の倍率パラメータVMAG、水平方向の倍率パラメータHMAG、および、変数PBZOOM_POSITIONの関係は、次式（６）で表わされる。
VMAG＝HMAG＝α−PBZOOM_POSITION                            ・・・（６）
【０１３０】
さらに、変数PBZOOM_POSITIONと再生ズーム倍率の関係は、次式（７）で表わされる。
再生ズーム倍率＝α／（α−PBZOOM_POSITION）                ・・・（７）
【０１３１】
図１４は、上述した変数PBZOOM_POSITIONと再生ズーム倍率の関係を示している。同図に示されるように、変数PBZOOM_POSITIONがα／２の場合には、再生ズーム倍率は２倍となり、変数PBZOOM_POSITIONが３α／４の場合には、再生ズーム倍率は４倍となる。
【０１３２】
図１２に戻り、ステップＳ８１において、カメラ制御マイコン４は、拡大領域を決定する各種パラメータを算出する。
【０１３３】
ここで、図１５のフローチャートを参照して、図１２のステップＳ８１の拡大領域を決定する各種パラメータの算出処理について詳しく説明する。
【０１３４】
ステップＳ１２１において、カメラ制御マイコン４は、入力信号の情報を取得する。ここでは、入力信号がNTSCフォーマットであるか、もしくはPALフォーマットであるかを示す情報である、NTSC信号同期状態フラグNTSC_LOCKおよびPAL信号同期状態フラグPAL_LOCKが取得される。なお、対象となる入力信号が、例えば、テープ再生により得られる入力信号、ライン入力信号、もしくはDV入力信号など、複数存在する場合には、入力信号情報も取得される。
【０１３５】
ステップＳ１２２において、カメラ制御マイコン４は、垂直方向の拡大すべき領域のサイズVIP、および拡大演算開始点のｘ座標Vremを算出する。
【０１３６】
すなわち、図１６に示されるように、垂直方向のサイズがVSIZE、水平方向のサイズがHSIZEの外部入力信号から、次式（８）に従って、点Ａの座標（０，０）とした場合の拡大演算開始点Ａ´のｘ座標Vremが算出される。ここで、変数VOPは、出力信号の垂直方向のサイズとされる。
0004547592.tif 000002
【０１３７】
そして、上記式（８）を用いて垂直方向のサイズVSIZEが算出される途中に得られる垂直方向の拡大すべき領域のサイズVIPがRAMに保存される。このサイズVIPは、後述する垂直方向の拡大演算終了のタイミングもしくはトリミング時の移動量の算出時に必要とされる。
【０１３８】
ステップＳ１２３において、カメラ制御マイコン４は、水平方向の拡大すべき領域のサイズHIP、および拡大演算開始点のｙ座標Hremを算出する。
【０１３９】
すなわち、図１６に示されるように、垂直方向のサイズがVSIZE、水平方向のサイズがHSIZEの外部入力信号から、次式（９）に従って、点Ａの座標（０，０）とした場合の拡大演算開始点Ａ´のｙ座標Hremが算出される。ここで、変数HOPは、出力信号の水平方向のサイズとされる。
0004547592.tif 000003
【０１４０】
そして、上記式（９）を用いて水平方向のサイズHSIZEが算出される途中に得られる水平方向の拡大すべき領域のサイズHIPがRAMに保存される。このサイズHIPは、後述する水平方向の拡大演算終了のタイミングもしくはトリミング時の移動量の算出時に必要とされる。
【０１４１】
上記式（８）および上記式（９）において、拡大演算開始点Ａ´のｘ座標Vremおよびｙ座標Hremは、１／β画素単位で算出される。すなわち、算出されるVremおよびHremの１桁は、１／β画素に相当する。
【０１４２】
ステップＳ１２４において、カメラ制御マイコン４は、拡大中心移動量用の垂直方向のリミット値MoveLimit_vおよび水平方向のリミット値MoveLimit_hを、次式（１０）および次式（１１）に従って算出する。このリミット値とは、ユーザがトリミング用に拡大領域を中心から動かす場合、どこまで動かすことができるかを示す値であり、垂直方向のリミット値MoveLimit_vは、拡大演算開始点Ａ´のｘ座標Vremにほぼ相当し、水平方向のリミット値MoveLimit_hは、拡大演算開始点Ａ´のｙ座標Hremにほぼ相当する。
MoveLimit_v＝Vrem−Ａ（Ａ＞０）                          ・・・（１０）
MoveLimit_h＝Hrem−Ｂ（Ｂ＞０）                          ・・・（１１）
【０１４３】
なお、変数Ａおよび変数Ｂは、画素変換処理部１３が処理するタップ数に基づいて、決定される値である。
【０１４４】
ところで、入力信号の垂直方向のサイズVSIZE、入力信号の水平方向のサイズHSIZE、出力信号の垂直方向のサイズVOP、および出力信号の水平方向のサイズHOPは、外部入力信号の種類により、その値が異なる。
【０１４５】
そこで、図１５のステップＳ１２２およびＳ１２３の算出処理（式（８）および式（９））に用いられるVSIZE、HSIZE、VOP、およびHOPは、ステップＳ１２１の処理で取得された入力信号情報（すなわち、テープ再生により得られる入力信号、ライン入力信号、もしくはDV入力信号などの入力信号の種類を示す情報）に基づいて、予め用意されたテーブルから取得される。
【０１４６】
図１２に戻り、ステップＳ８２において、カメラ制御マイコン４は、ユーザが所望する領域を拡大するために、ヒューマンインターフェースマイコン５より取得した回転ダイヤル４４の回転方向を示す移動量情報（フラグUP、フラグDOWM、フラグRIGHT、もしくはフラグLEFTなどの情報）を用いて、拡大中心移動量を算出する。ステップＳ８３において、カメラ制御マイコン４は、ステップＳ８１の処理で算出された各種パラメータ（垂直方向のリミット値MoveLimit_vおよび水平方向のリミット値MoveLimit_h）に、ステップＳ８２の処理で算出された拡大中心移動量を反映させて最終的な拡大領域を決定し、最終的な各種パラメータを算出する。
【０１４７】
ここで、図１７および図１８のフローチャートを参照して、図１２のステップＳ８１，Ｓ８２の拡大中心移動量および最終的な各種パラメータの算出処理について詳しく説明する。
【０１４８】
ステップＳ１３１において、カメラ制御マイコン４は、垂直方向の初期値をVstart０＝Vremに設定する。ステップＳ１３２において、カメラ制御マイコン４は、回転ダイヤル４４の１パルスあたりの垂直方向の移動量ΔMove_vを算出する。
【０１４９】
ここで、垂直方向の移動量ΔMove_vとは、図１９に示すように、垂直方向の拡大領域VIPをＭ分割したサイズを、１パルスあたりの移動量として返すような値である。このように、１パルスあたりの移動量を、拡大領域VIPをＭ分割した値（すなわち、ΔMove_v＝VIP／Ｍ）に常に設定しておくことにより、倍率に関係なく出力画像に対する移動量比率を一定に保つことが可能になる。
【０１５０】
ステップＳ１３３において、カメラ制御マイコン４は、ユーザインターフェースマイコン５より取得した回転ダイヤル４４の移動量情報に基づいて、ユーザにより、画面上側への移動が指示されたか否か、すなわち、フラグUP＝１であるか否かを判定し、画面上側への移動が指示されたと判定した場合、ステップＳ１３４に進み、垂直方向の中心移動量Move_vから垂直移動量ΔMove_vを減算する。
【０１５１】
ステップＳ１３３において、ユーザにより、画面上側への移動が指示されていないと判定された場合、すなわち、フラグUP＝０であると判定された場合、ステップＳ１３４の処理がスキップされ、処理は、ステップＳ１３５に進む。
【０１５２】
ステップＳ１３５において、カメラ制御マイコン４は、ユーザインターフェースマイコン５より取得した回転ダイヤル４４の移動量情報に基づいて、ユーザにより、画面下側への移動が指示されたか否か、すなわち、フラグDOWN＝１であるか否かを判定し、画面下側への移動が指示されたと判定した場合、ステップＳ１３６に進み、垂直方向の中心移動量Move_vに垂直移動量ΔMove_vを加算する。
【０１５３】
ステップＳ１３５において、ユーザにより、画面下側への移動が指示されていないと判定された場合、すなわち、フラグDOWN＝０であると判定された場合、ステップＳ１３６の処理はスキップされ、処理は、ステップＳ１３７に進む。
【０１５４】
ステップＳ１３７において、カメラ制御マイコン４は、算出された垂直方向の中心移動量Move_vの絶対値が垂直方向の拡大中心移動量用のリミット値MoveLimit_vを超えているか否かを判定し、垂直方向の中心移動量Move_vの絶対値が垂直方向の拡大中心移動量用のリミット値MoveLimit_vを超えていると判定した場合、ステップＳ１３８に進み、拡大中心移動量用のリミット値MoveLimit_vを垂直方向の中心移動量Move_vに設定する。
【０１５５】
すなわち、垂直方向の中心移動量Move_vの絶対値が垂直方向の拡大中心移動量用のリミット値MoveLimit_vを超えている場合には、中心移動量Move_vがリミット値MoveLimit_vに押え込まれる。例えば、ユーザが、回転ダイヤル４４を所定の回転方向に回転し続けた場合にも、ステップＳ１３７およびＳ１３８の処理によって、中心移動量Move_vの絶対値がリミット値MoveLimit_vより大きくなることはない。この処理により、ユーザによって回転ダイヤル４４が必要以上に回転されたとしても、拡大により発生する垂直方向の余剰領域を超えてしまう事ことを避けることができる。
【０１５６】
ステップＳ１３７において、垂直方向の中心移動量Move_vの絶対値が垂直方向の拡大中心移動量用のリミット値MoveLimit_vを超えていないと判定された場合、ステップＳ１３８の処理がスキップされ、処理は、ステップＳ１３９に進む。
【０１５７】
ステップＳ１３９において、カメラ制御マイコン４は、初期値Vstart０に垂直方向の中心移動量Move_vを加算し、垂直方向の拡大領域開始点Vstartを算出する。すなわち、図２０に示されるように、初期値Vstart０に中心移動量Move_vが加算されることによって、中心移動量を考慮した拡大領域開始点Vstartが算出される。
【０１５８】
ここで、初期値Vstart０は、ステップＳ１３１の処理でVremに設定されており、上述したように、Vremは１／β画素単位で算出されているので、ステップＳ１４０において、カメラ制御マイコン４は、算出された垂直方向の拡大領域開始点Vstartを整数画素部分INT[Vstart]と小数画素部分Dec[Vstart]に切り分ける。そして、切り分けられた整数画素部分INT[Vstart]は、VstartINTに設定され、小数画素部分Dec[Vstart]は、VstartDecに設定される。
【０１５９】
ステップＳ１４１において、カメラ制御マイコン４は、フィールド毎に、整数画素部分VstartINT、および小数画素部分VstartDecを調整して、各フィールド時の出力同士がインターレース補間できるように補正するといったインターレース処理を行う。
【０１６０】
ステップＳ１４２において、カメラ制御マイコン４は、拡大領域開始点（整数画素部分）VstartINTに拡大すべき領域のサイズVIPを加算し、拡大演算停止点VstopINTを算出する。
【０１６１】
以上のステップＳ１３１乃至Ｓ１４２の処理により、垂直方向の最終的な拡大領域が決定され、最終的な各種パラメータが算出される。
【０１６２】
続いて、水平方向の最終的な拡大領域を決定するための処理が行われる。ステップＳ１４３において、カメラ制御マイコン４は、水平方向の初期値をHstart０＝Hremに設定する。ステップＳ１４４において、カメラ制御マイコン４は、回転ダイヤル４４の１パルスあたりの水平方向の移動量ΔMove_hを算出する。
【０１６３】
ここで、水平方向の移動量ΔMove_hとは、図１９に示したように、水平方向の拡大領域HIPをＮ分割したサイズを、１パルスあたりの移動量として返すような値である。このように、１パルスあたりの移動量を、拡大領域HIPをＮ分割した値（すなわち、ΔMove_h＝HIP／Ｎ）に常に設定しておくことにより、倍率に関係なく出力画像に対する移動量比率を一定に保つことが可能になる。
【０１６４】
ステップＳ１４５において、カメラ制御マイコン４は、ユーザインターフェースマイコン５より取得した回転ダイヤル４４の移動量情報に基づいて、ユーザにより、画面左側への移動が指示されたか否か、すなわち、フラグLEFT＝１であるか否かを判定し、画面左側への移動が指示されたと判定した場合、ステップＳ１４６に進み、水平方向の中心移動量Move_hから水平移動量ΔMove_hを減算する。
【０１６５】
ステップＳ１４５において、ユーザにより、画面左側への移動が指示されていないと判定された場合、すなわち、フラグLEFT＝０であると判定された場合、ステップＳ１４６の処理がスキップされ、処理は、ステップＳ１４７に進む。
【０１６６】
ステップＳ１４７において、カメラ制御マイコン４は、ユーザインターフェースマイコン５より取得した回転ダイヤル４４の移動量情報に基づいて、ユーザにより、画面右側への移動が指示されたか否か、すなわち、フラグRIGHT＝１であるか否かを判定し、画面右側への移動が指示されたと判定した場合、ステップＳ１４８に進み、水平方向の中心移動量Move_hに水平移動量ΔMove_hを加算する。
【０１６７】
ステップＳ１４７において、ユーザにより、画面右側への移動が指示されていないと判定された場合、すなわち、フラグRIGHT＝０であると判定された場合、ステップＳ１４８の処理がスキップされ、処理は、ステップＳ１４９に進む。
【０１６８】
ステップＳ１４９において、カメラ制御マイコン４は、算出された水平方向の中心移動量Move_hの絶対値が水平方向の拡大中心移動量用のリミット値MoveLimit_hを超えているか否かを判定し、水平方向の中心移動量Move_hの絶対値が水平方向の拡大中心移動量用のリミット値MoveLimit_hを超えていると判定した場合、ステップＳ１５０に進み、拡大中心移動量用のリミット値MoveLimit_hを水平方向の中心移動量Move_hに設定する。
【０１６９】
すなわち、水平方向の中心移動量Move_hの絶対値が水平方向の拡大中心移動量用のリミット値MoveLimit_hを超えている場合には、中心移動量Move_hがリミット値MoveLimit_hに押え込まれる。例えば、ユーザが、回転ダイヤル４４を所定の回転方向に回転し続けた場合にも、ステップＳ１４９およびＳ１５０の処理によって、中心移動量Move_hの絶対値がリミット値MoveLimit_hより大きくなることはない。この処理により、ユーザによって回転ダイヤル４４が必要以上に回転されたとしても、拡大により発生する水平方向の余剰領域を超えてしまう事ことを避けることができる。
【０１７０】
ステップＳ１４９において、水平方向の中心移動量Move_hの絶対値が水平方向の拡大中心移動量用のリミット値MoveLimit_hを超えていないと判定された場合、ステップＳ１５０の処理がスキップされ、処理は、ステップＳ１５１に進む。
【０１７１】
ステップＳ１５１において、カメラ制御マイコン４は、初期値Hstart０に水平方向の中心移動量Move_hを加算し、水平方向の拡大領域開始点Hstartを算出する。すなわち、図２０に示されるように、初期値Hstart０に中心移動量Move_hが加算されることによって、中心移動量を考慮した拡大領域開始点Hstartが算出される。
【０１７２】
ここで、初期値Hstart０は、ステップＳ１４３の処理でHremに設定されており、上述したように、Hremは１／β画素単位で算出されているので、ステップＳ１５２において、カメラ制御マイコン４は、算出された水平方向の拡大領域開始点Hstartを整数画素部分INT[Hstart]と小数画素部分Dec[Hstart]に切り分ける。そして、切り分けられた整数画素部分INT[Hstart]は、HstartINTに設定され、小数画素部分Dec[Hstart]は、HstartDecに設定される。
【０１７３】
ステップＳ１５３において、カメラ制御マイコン４は、拡大領域開始点（整数画素部分）HstartINTに拡大すべき領域のサイズHIPを加算し、拡大演算停止点HstopINTを算出する。
【０１７４】
以上のステップＳ１４３乃至Ｓ１５３の処理により、水平方向の最終的な拡大領域が決定され、最終的な各種パラメータが算出される。
【０１７５】
図１２のステップＳ８４に戻り、カメラ制御マイコン４は、算出された最終的な各種パラメータを、対象となるカメラ信号処理IC３に適する形式に加工し、通信バッファに設定した後、処理は終了される。
【０１７６】
以上のように、NTSCフォーマットもしくはPALフォーマットのいずれの外部入力信号に対しても、本発明を適用することにより、容易に電子ズームを行うことが可能になる。
【０１７７】
また、電子ズームの際にクロックレートコンバートを行うようにしたので、回路規模を大きくすることなく、高性能に入力画像の電子ズームを実現することが可能になる。
【０１７８】
また、以上においては、電子ズームを用いる場合を例として説明したが、本発明はこれに限らず、例えば、他のカメラ系エフェクト信号処理などに適用することも可能である。
【０１７９】
さらにまた、将来、HD（High Definition）フォーマットで記録されたテープを再生し、再生ズームを行い、NTSCフォーマットもしくはPALフォーマットで鑑賞する場合、HDフォーマットは、NTSCフォーマットもしくはPALフォーマットに対してオーバサンプリングなデータとなる。従って、ズーム動作も縮小側、等倍、および拡大側の３種類のズームエリアが発生し、縮小もしくは等倍領域でのズーム動作では、画像劣化のないズームが可能になる。
【０１８０】
上述した一連の処理は、ソフトウェアにより実行することもできる。そのソフトウェアは、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１８１】
この記録媒体は、コンピュータとは別に、ユーザにプログラムを提供するために配布される、プログラムが記録されている磁気ディスク３１（フロッピーディスクを含む）、光ディスク３２（CD-ROM（Compact Disk-Read Only Memory），DVD（Digital Versatile Disk）を含む）、光磁気ディスク３３（MD(Mini-Disk)を含む）、もしくは半導体メモリ３４などよりなるパッケージメディアなどにより構成される。
【０１８２】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１８３】
【発明の効果】
本発明によれば、回路規模を大きくすることなく、高性能に入力画像の電子ズームを行うことができる。
【図面の簡単な説明】
【図１】本発明を適用したビデオカメラの内部の構成例を示すブロック図である。
【図２】図１のカメラ制御マイコンおよびヒューマンインターフェース、並びに、その周辺の機器の詳細な構成例を示すブロック図である。
【図３】再生ズーム処理を説明するためのフローチャートである。
【図４】カメラ制御マイコン処理を説明するためのフローチャートである。
【図５】図４に続くフローチャートである。
【図６】タイマ割込みを説明するための図である。
【図７】  NTSCフォーマットのVD入力信号のタイマ割込みを説明するための図である。
【図８】他の例のNTSCフォーマットのVD入力信号のタイマ割込みを説明するための図である。
【図９】  PALフォーマットのVD入力信号のタイマ割込みを説明するための図である。
【図１０】他の例のPALフォーマットのVD入力信号のタイマ割込みを説明するための図である。
【図１１】自走状態のタイマ割込みを説明するための図である。
【図１２】再生ズーム制御処理を説明するためのフローチャートである。
【図１３】図１２のステップＳ７９の再生ズームポジション制御処理を詳しく説明するためのフローチャートである。
【図１４】変数PBZOOM_POSITIONと再生ズーム倍率の関係を示す図である。
【図１５】図１２のステップＳ８１の拡大領域を決定する各種パラメータの算出処理を詳しく説明するためのフローチャートである。
【図１６】外部入力信号から拡大領域が決定される様子を説明するための図である。
【図１７】図１２のステップＳ８２およびＳ８３の拡大中心移動量および最終的な各種パラメータの算出処理を詳しく説明するためのフローチャートである。
【図１８】図１７に続くフローチャートである。
【図１９】移動量算出処理を説明するための図である。
【図２０】最終的な拡大領域が決定される様子を説明するための図である。
【符号の説明】
１  イメージャ，  ２  フロントエンド部，  ３  カメラ信号処理IC，  ４カメラ制御マイコン，  ５  ヒューマンインターフェースマイコン，  ６  ドライブ，  ３１  光ディスク，  ３２  光磁気ディスク，  ３３  ，  ３４  半導体メモリ，  １１  カメラ信号処理部，  １３  画素変換処理部，  １４  大容量RAM，  １６  外部ICインターフェース，  １７  クロックレートコンバータ，１９  マイコンインターフェース，  ２０  同期信号生成部，  ４１  CAM/VTRモード切替スイッチ，  ４２  再生ズームモード切替スイッチ，  ４３  ズームキー，  ４４  回転ダイヤル，  ４５  表示部
【図１】
0004547592.tif 000004
【図２】
0004547592.tif 000005
【図３】
0004547592.tif 000006
【図４】
0004547592.tif 000007
【図５】
0004547592.tif 000008
【図６】
0004547592.tif 000009
【図７】
0004547592.tif 000010
【図８】
0004547592.tif 000011
【図９】
0004547592.tif 000012
【図１０】
0004547592.tif 000013
【図１１】
0004547592.tif 000014
【図１２】
0004547592.tif 000015
【図１３】
0004547592.tif 000016
【図１４】
0004547592.tif 000017
【図１５】
0004547592.tif 000018
【図１６】
0004547592.tif 000019
【図１７】
0004547592.tif 000020
【図１８】
0004547592.tif 000021
【図１９】
0004547592.tif 000022
【図２０】
0004547592.tif 000023